(57)【特許請求の範囲】
【請求項１】
以下の（１）乃至（５）の構成を備えた太陽電池モジュールが、列状及び複数段状に並べられて平面的な広がりをもって載置され、
前記太陽電池モジュールは、中間取付け金具を介して取り付けられるものであって、
前記中間取付け金具は、軒側に位置する太陽電池モジュールの棟側の辺と係合する第二凹部と、棟側に位置する太陽電池モジュールの軒側の辺と係合する第三凹部とを有し、
前記第二凹部と前記第三凹部が上下方向で隣接する位置に設けられており、
軒側に位置する太陽電池モジュールの一部である太陽電池パネルが前記第二凹部の内側に位置するものであって、
一部が隣接する段の太陽電池モジュールと重なると共に一部が露出する状態であり、下記非稼働領域が太陽電池モジュールの重なり部に配置されていることを特徴とする屋根構造。
（１）建屋の屋根に設置される太陽電池モジュールであって、太陽電池パネルは複数の溝によって区切られた単体電池が電気的に直列接続されたものであり、各単体電池を横断する限定溝が設けられて面積の広い稼働領域と面積の狭い非稼働領域に区画され、稼働領域からのみ外部に電気が取り出されるものである。
（２）太陽電池パネルが発生した電気を外部に取り出すケーブルを有し、稼働領域に属する単体電池が前記ケーブルに接続されており、非稼働領域の単体電池はケーブルに接続されていないものである。
（３）太陽電池モジュールの裏面に端子ボックスが設けられており、稼働領域に属する単体電池が端子ボックスに接続されており、非稼働領域の単体電池は端子ボックスに接続されていないものである。
（４）太陽電池パネルは平面視が四角形であり、その一辺から３０ｍｍ〜６０ｍｍ内側に入った位置に限定溝が設けられている。
（５）前記限定溝が、上部側の太陽電池モジュールに対する重なり部分から僅かに外側に露出する位置にあるか、あるいは限定溝が、上部側の太陽電池モジュールの軒側の辺の真下の位置にあるか、あるいは限定溝が、上部側の太陽電池モジュールに対する重なり部分の中にある。
【発明の詳細な説明】
【技術分野】
【０００１】
本発明は、太陽電池パネルを有していて屋根に設置される太陽電池モジュールを載置した屋根構造に関するものである。
【背景技術】
【０００２】
太陽電池モジュールは、太陽電池パネルと太陽電池パネルが発生した電気を外部に取り出すための付属品を一体化したものであり、太陽光を受けて電気を発生させることができる。
例えば特許文献１に開示された太陽電池モジュールでは、太陽電池パネルの裏面側に端子ボックスが設けられている。そして太陽電池パネル内の太陽電池が端子ボックスに接続されている。さらに端子ボックスには、ケーブルが接続されている。特許文献１に開示された太陽電池モジュールでは、太陽電池パネル内の太陽電池が発生する電気が、端子ボックスに伝導され、さらにケーブルを経て外部に取り出される。
ここで従来技術の太陽電池モジュールでは、太陽電池パネルの略全域に太陽電池が分布しており、太陽電池パネルの略全域に渡る太陽電池の全てが、端子ボックスに接続されている。
即ち従来技術の太陽電池モジュールでは、太陽電池パネルの全域で発電が行われ、全域で発電された電気の全てが端子ボックスを経てケーブルに流れ、外部に取り出される。
【０００３】
また近年、太陽電池モジュールを一般家庭の屋根に設置し、家庭で使用する電力を太陽電池モジュールが発生する電力で賄う太陽光発電システムを採用する家庭が増加しつつある。
ここで太陽電池モジュールを一般家庭の屋根に設置する方策として、太陽電池モジュール自体に瓦（屋根部材）の機能を持たせ、屋根下地に瓦に代わって太陽電池モジュールを敷設する構造と、スレート瓦等が敷設された屋根の上にさらに太陽電池モジュールを設置する構造がある。
【０００４】
前者の構造は、例えば前記した特許文献１に開示された屋根構造であり、瓦一体型太陽電池モジュールと称されている。
後者の構造は、例えば特許文献２に開示された屋根構造であり、公知のスレート屋根に取り付け金具を設け、当該取り付け金具を介して太陽電池モジュールを取り付けるものである。
【０００５】
いずれの構造を採用するにせよ、太陽電池モジュールは、鱗の如く、一部が隣接する屋根部材と重なり、残部が露出する状態で列状及び複数段状に並べられて平面的な広がりをもって載置される。
【先行技術文献】
【特許文献】
【０００６】
【特許文献１】特開２００９−２９９４６５号公報
【特許文献２】特許第３６０９２９８号公報
【発明の概要】
【発明が解決しようとする課題】
【０００７】
太陽電池モジュールは、無尽蔵に降り注ぐ太陽エネルギーを利用して発電することができ、且つ排気ガスを排出することなくクリーンであり、さらに放射能を放出するといった危険もなく安全である。また一般家庭の屋根は、通常、なにも物を置くことがない場所である。そのため太陽電池モジュールを屋根に設置して発電し、この電力を家庭用の電力として使用することは、空所の有効利用であって、なんらの弊害も起こさずに家庭用電力を生産することができ、好ましい構成であると言える。
【０００８】
しかしながら、太陽電池モジュールを一般家庭の屋根に設置する構成は、開発されてからの歴史が浅く、数十年に渡る長期間の間、十分な性能を維持できるかを実地には検証されていない。
【０００９】
即ち家（建物）は、建設したのち、最低でも４０年から５０年に渡って使用されることが通例であり、家屋に設置される太陽電池モジュールについても同様に長期間に渡る耐久性が必要である。
ここで一般的な耐久性能たる、耐オゾン性能、耐紫外線性能、耐雨性能、耐熱性能等については、公知の環境試験装置等によって疑似的な検証が可能である。
しかしながら、ねずみ、昆虫、鳥といった生物がもたらす弊害は、これといった擬似的検証方法が存在ない。
そのため実際に長期間使用し、この間の変化を実地にモニターするより方法がない。
しかしながら、過去の経験則から、これらの生物が弊害を起こしうる可能性がある部位については、予め対策を講じておくべきである。
【００１０】
この観点から従来技術の太陽電池モジュールを観察したとき、太陽電池モジュール同士の間に隙間がある点が気にかかる。
即ち太陽電池モジュールは、前記した様に屋根の上で、列状及び複数段状に並べられて平面的な広がりをもって載置され、一部が隣接する段の太陽電池モジュールと重なる。しかしながら、上下に重なる太陽電池同士の間には僅かに隙間がある。また下側に位置する太陽電池モジュールの端面と、上側に重なる太陽電池モジュールとの間には、ねずみが侵入できる程度の空間が存在する。
そのためこれらの隙間に、昆虫やクモ、鳥等が侵入し、予期しない故障を発生させる懸念がある。
ここで昆虫やクモ等が分泌する分泌物には、長年の内に思わぬ弊害をもたらすものもある。例えば蟻が分泌する蟻酸は、強い酸であり、この蟻酸に長期に渡ってふれることによって、太陽電池の一部が腐食する可能性もある。
また雨仕舞い板等の隙間からねずみが侵入し、太陽電池モジュールをかじることがあるかも知れない。
【００１１】
そこで本発明は、従来技術の上記した懸念を払拭することを課題とするものであり、長期に渡って使用することができる屋根用の太陽電池モジュールを備えた屋根構造の提供を課題とするものである。
【課題を解決するための手段】
【００１２】
前記した課題を解決するための請求項１に記載の発明は、以下の（１）乃至（５）の構成を備えた太陽電池モジュールが、列状及び複数段状に並べられて平面的な広がりをもって載置され、前記太陽電池モジュールは、中間取付け金具を介して取り付けられるものであって、前記中間取付け金具は、軒側に位置する太陽電池モジュールの棟側の辺と係合する第二凹部と、棟側に位置する太陽電池モジュールの軒側の辺と係合する第三凹部とを有し、前記第二凹部と前記第三凹部が上下方向で隣接する位置に設けられており、軒側に位置する太陽電池モジュールの一部である太陽電池パネルが前記第二凹部の内側に位置するものであって、一部が隣接する段の太陽電池モジュールと重なると共に一部が露出する状態であり、下記非稼働領域が太陽電池モジュールの重なり部に配置されていることを特徴とする屋根構造である。
（１）建屋の屋根に設置される太陽電池モジュールであって、太陽電池パネルは複数の溝によって区切られた単体電池が電気的に直列接続されたものであり、各単体電池を横断する限定溝が設けられて面積の広い稼働領域と面積の狭い非稼働領域に区画され、稼働領域からのみ外部に電気が取り出されるものである。
（２）太陽電池パネルが発生した電気を外部に取り出すケーブルを有し、稼働領域に属する単体電池が前記ケーブルに接続されており、非稼働領域の単体電池はケーブルに接続されていないものである。
（３）太陽電池モジュールの裏面に端子ボックスが設けられており、稼働領域に属する単体電池が端子ボックスに接続されており、非稼働領域の単体電池は端子ボックスに接続されていないものである。
（４）太陽電池パネルは平面視が四角形であり、その一辺から３０ｍｍ〜６０ｍｍ内側に入った位置に限定溝が設けられている。
（５）前記限定溝が、上部側の太陽電池モジュールに対する重なり部分から僅かに外側に露出する位置にあるか、あるいは限定溝が、上部側の太陽電池モジュールの軒側の辺の真下の位置にあるか、あるいは限定溝が、上部側の太陽電池モジュールに対する重なり部分の中にある。
【００１３】
本発明の屋根構造における太陽電池モジュールは、各太陽電池セルを横断する限定溝が設けられている。そして当該限定溝によって面積の広い稼働領域と面積の狭い非稼働領域に区画されている。
本発明の屋根構造における太陽電池モジュールは建屋の屋根に設置されるものであり、公知のそれと同様に、列状及び複数段状に並べられて平面的な広がりをもって載置され、一部が隣接する段の太陽電池モジュールと重なる状態となる。そして本発明の屋根構造における太陽電池モジュールでは、面積の狭い非稼働領域に隣接する段の太陽電池モジュールを重ねられる。また本発明では、稼働領域からのみ外部に電気が取り出される。
そのため太陽電池モジュールの重なり部分に生物が侵入し、太陽電池の一部を破壊しても、太陽電池のショートや漏電がおこることはない。
また非稼働領域は、隣接する段の太陽電池モジュールが重ねられる部位であるから、そもそも隣接する段の太陽電池モジュールに覆われて陰になる部分であり、発電に寄与しない。そのため太陽電池モジュールに限定溝を設け、面積の狭い非稼働領域からは電気を取り出さない構成を採用しても、何らの不都合もない。
【００１４】
本発明の屋根構造における太陽電池モジュールは、太陽電池パネルが発生した電気を外部に取り出すケーブルを有し、稼働領域に属する単体電池が前記ケーブルに接続されており、非稼働領域の単体電池はケーブルに接続されていない。
【００１５】
かかる構成によると、ケーブルで電気が取り出されるから配線が容易である。
【００１６】
本発明の屋根構造における太陽電池モジュールは、太陽電池モジュールの裏面に端子ボックスが設けられており、稼働領域に属する単体電池が端子ボックスに接続されており、非稼働領域の単体電池は端子ボックスに接続されていない。
【００１７】
かかる構成では、端子ボックスを設け、端子ボックスを介して太陽電池パネルと外部とを電気接続するものであり、端子ボックスを介することによって太陽電池パネル内の配線等が外力を受けることが防がれる。そのため太陽電池パネル内に断線が生じない。
【００１８】
本発明の屋根構造における太陽電池モジュールは、太陽電池パネルは平面視が四角形であり、その一辺から３０ｍｍ〜６０ｍｍ内側に入った位置に限定溝が設けられていることを特徴とする請求項１乃至３のいずれかに記載の太陽電池モジュールである。
【００１９】
かかる構成は、限定溝の位置の目安を示すものである。
【００２０】
本発明の屋根構造によると、太陽電池モジュールの一端をねずみにがじられると言うような不測の事態が生じても、ショートや漏電が生じない。
【発明の効果】
【００２１】
本発明の屋根構造は、長期に渡って使用することができる。また本発明の屋根構造は、安全性も高い。
【図面の簡単な説明】
【００２２】
【図１】本発明の実施形態の屋根構造を外観した斜視図である。
【図２】本実施形態の屋根構造で採用するスレート瓦の斜視図である。
【図３】本実施形態の屋根構造で採用する太陽電池モジュールの説明図であり、（ａ）は太陽電池モジュールを正面側から観察した斜視図であり、（ｂ）は第一ケーブルのコネクタ部分を拡大した断面図であり、（ｃ）は第二ケーブルのコネクタ部分を拡大した断面図である。
【図４】図３の太陽電池モジュールを裏面側から観察した斜視図である。
【図５】図３の太陽電池モジュールを正面側から観察した斜視図であり、裏面構造を破線で示している。
【図６】図３の太陽電池モジュールのコネクタの断面図である。
【図７】本実施形態の屋根構造で採用する軒先取付け金具（軒先取付け具）の斜視図である。
【図８】図７の軒先取付け金具の分解斜視図である。
【図９】図７の軒先取付け金具の断面図である。
【図１０】本実施形態の屋根構造で採用する中間取付け金具（取付け具）の斜視図である。
【図１１】図１０の中間取付け金具の分解斜視図である。
【図１２】図１１のＤ−Ｄ断面図である。
【図１３】図１１のＥ−Ｅ断面図である。
【図１４】図１０の中間取付け金具の断面図である。
【図１５】本実施形態の屋根構造で採用する中間取付け金具（取付け具）の斜視図である。
【図１６】本実施形態の屋根構造の施工手順を示す斜視図であり、屋根下地の軒先に軒先取付け金具を取り付けた状態を示す斜視図である。
【図１７】図１６の断面図である。
【図１８】図１６、図１７の工程に続く工程を示し、第一段目のスレート瓦を装着した状態における屋根構造の斜視図である。
【図１９】図１８の断面図である。
【図２０】図１９の工程に続く工程を示し、第二段目のスレート瓦を装着した状態における屋根構造の断面図である。
【図２１】図２０の工程に続く工程を示し、第二段目のスレート瓦に第一段目の中間取付け金具の固定部構成部材を取り付ける状態を示す斜視図である。
【図２２】図２１の断面図である。
【図２３】第二段目のスレート瓦に第一段目の中間取付け金具の固定部構成部材を取付ける際の固定部構成部材の拡大斜視図である。
【図２４】図２３の工程に続く工程を示し、第一段目の中間取付け金具の第一凹部に第三段目のスレート瓦を装着する状態を示す斜視図である。
【図２５】図２４の断面図である。
【図２６】第三段目のスレート瓦に第一段目の中間取付け金具の固定部構成部材をネジ止めする状態を示す斜視図である。
【図２７】図２６の断面図である。
【図２８】第三段目のスレート瓦に第一段目の中間取付け金具の固定部構成部材をネジ止めした状態を示す平面図である。
【図２９】（ａ）は第四段目のスレート瓦を装着する状態を示す屋根構造の断面図であり、（ｂ）はその円内の拡大図である。
【図３０】（ａ）は第四段目のスレート瓦に第２段目の中間取付け金具の下板部材を取り付けた状態を示す屋根構造の断面図であり、（ｂ）はその円内の拡大図である。
【図３１】（ａ）第２段目の中間取付け金具の第一凹部に第五段目のスレート瓦を装着した状態を示す屋根構造の断面図であり、（ｂ）はその円内の拡大図である。
【図３２】各スレート瓦に軒先取付け金具と中間取付け金具の固定部構成部材を取り付けた状態を示す斜視図である。
【図３３】太陽電池モジュールの接続方法を説明する概念図である。
【図３４】太陽電池モジュールの接続構造を示す電気配線図である。
【図３５】軒先金具に第一段目の太陽電池モジュールを装着する状態を示す屋根構造の断面図である。
【図３６】図３５に次ぐ工程を示す屋根構造の断面図である。
【図３７】第一段目の固定部構成部材に中間板部材（押さえ部材込み）を装着し、太陽電池モジュールの棟側辺を押さえた状態を示す斜視図である。
【図３８】図３６の第一段目の固定部構成部材に中間板部材（押さえ部材込み）を装着した状態を示す断面図である。
【図３９】第一段目の太陽電池モジュールを取り付けた状態を示す斜視図である。
【図４０】第一段目の太陽電池モジュールを取り付けてケーブル配線を行った状態を示す斜視図である。
【図４１】第一段目の太陽電池モジュールを取り付けてケーブル配線を行った状態を示す平面図である。
【図４２】第二段目の太陽電池モジュールを載置しケーブル配線の上に第二段目の太陽電池モジュールを被せた状態を示す屋根構造の断面図である。
【図４３】第二段目の固定部構成部材に第二段目の中間板部材（押さえ部材込み）を装着し、第二段目の太陽電池モジュールの棟側辺を押さえた状態を示す屋根構造の断面図である。
【図４４】第二段目の太陽電池モジュールを取り付けてケーブル配線を行った状態を示す平面図である。
【図４５】第三段目の太陽電池モジュールの軒側に雨仕舞い板を取り付けた状態を示す断面図である。
【図４６】太陽電池モジュールを屋根構造に取り付けた状態を示す断面図である。
【図４７】図１の状態から接続片を取り外す状態を示す斜視図である。
【図４８】図４５の状態から太陽電池モジュールを取り外す状態を示す断面図である。
【図４９】図４８に続く工程を示す断面図である。
【図５０】図１０とは別形態の押さえ板部材を備えた中間取付け金具を示す斜視図である。
【図５１】図５とは別形態の断熱補強材を備えた太陽電池モジュールを正面側から観察した斜視図であり、裏面構造を破線で示している。
【図５２】本実施形態で採用する太陽電池パネルに構成される集積型太陽電池の層構成を概念的に説明する概念図である。
【図５３】太陽電池モジュールの重なり具合を示す斜視図である。
【図５４】太陽電池モジュールの重なり具合の変形例を示す斜視図である。
【図５５】図５４とは異なる太陽電池モジュールの重なり具合の変形例を示す斜視図である。
【図５６】図５４、図５５とは異なる太陽電池モジュールの重なり具合の変形例を示す斜視図である。
【発明を実施するための形態】
【００２３】
以下さらに本発明の実施形態について説明する。
本実施形態の屋根構造１は、図１の様にスレート瓦（屋根部材）２で葺かれた基礎屋根構造３の上に、軒先取付け金具（軒先取付け具）５及び中間取付け金具（取付け具）６を介して太陽電池モジュール１０が取付けられたものである。また必要部分には、部分的に雨仕舞い板１１が設置されている。
【００２４】
スレート瓦２は、図２の様に、セメント等で成形された略長方形の薄板である。スレート瓦２には、短手方向の中心近傍に、予め、取付け孔１２が一列に４個設けられている。本実施形態では、取付け孔１２の間隔は均等ではなく、中央の２個の孔１２ｂ，１２ｃの間隔が他の孔同士の間隔よりも広い。
より詳細には、４個の孔を図面左から孔１２ａ，孔１２ｂ，孔１２ｃ，孔１２ｄとすると、両脇の孔の間隔たる孔１２ａと孔１２ｂの間隔Ｗａと孔１２ｃと孔１２ｄの間隔Ｗｃは等しく、中央の孔１２ｂ，１２ｃの間隔Ｗｂは前記した間隔Ｗａ，Ｗｃよりも広い。
【００２５】
次に太陽電池モジュール１０の構造について説明する。後記する様に本実施形態では、太陽電池モジュール１０を、ケーブル１６，１８側が棟側になる向きに敷設するので、説明の便宜上、ケーブル１６，１８が突出した側を上側として説明する。
本実施形態で採用する太陽電池モジュール１０は、図３，図４，図５に示すように、２つの長辺と２つの短辺を有し、正面視が略長方形状である。そして、太陽電池パネル１３と、太陽電池パネル１３の裏面に取付けられる端子ボックス１４（図４参照）と、端子ボックス１４から延設される二本のケーブル１６，１８と、ケーブル１６，１８のそれぞれに接続されるコネクタ２０，２２及び断熱補強材２３とを備えている。そして、太陽電池パネル１３が発電した電力を端子ボックス１４及びケーブル１６，１８を介して取り出すことが可能である
【００２６】
太陽電池パネル１３は、図３のようにほぼ長方形の面状に形成されている。太陽電池パネル１３は長手方向の長さが９００乃至１２００［ｍｍ］であって短手方向の長さが２３０乃至６５０［ｍｍ］であることが望ましい。
なお太陽電池パネル１３の長手方向の長さは、前記したスレート瓦２の２倍程度である。太陽電池パネル１３の短手方向の長さＡＷがスレート瓦２の短手方向の長さａｗの約１．３倍〜１．６倍程度である。より具体的には太陽電池パネル１３の短手方向の長さ（幅）ＡＷは、スレート瓦２の短手方向の長さ（幅）ａｗより長く、重ねられた状態におけるスレート瓦２の２枚分に相当する長さである。
【００２７】
本実施形態で採用する太陽電池パネル１３は、集積型太陽電池である。太陽電池パネル１３には、例えばガラス基板に導電膜や半導体膜を積層し、これに複数の縦列の溝１５を設けて所定数の単体電池（太陽電池セル）１７を形成し、各太陽電池セル１７を電気的に直列接続したものなどを採用することができる。本実施形態の太陽電池パネル１３は、一枚で約１００ボルトの電圧を得ることができる。
前記した様に太陽電池セル１７は電気的に直列接続され、端子ボックス１４に接続されている。
なお作図の関係上、溝１５の数は実際よりも少なく描いている。
【００２８】
また本実施形態の太陽電池パネル１３に特有の構成として、各太陽電池セル１７を横断する限定溝２１が設けられている。限定溝２１の位置は、ケーブル１６，１８が導出される側の辺を上辺としたとき、当該上辺から３０ｍｍ〜６０ｍｍ程度内側に入った位置である。より望ましい限定溝２１の位置は、ケーブル１６，１８が導出される側の辺を上辺としたとき、当該上辺から３０ｍｍ〜５０ｍｍ程度内側に入った位置である。
太陽電池パネル１３では、限定溝２１によって各太陽電池セル１７が図面下側のＡ領域（稼働領域）と、図面上側のＢ領域（非稼働領域）に分断されている。Ｂ領域は、太陽電池モジュール１０を屋根に敷設した際に、棟側の段の太陽電池モジュール１０に覆われて陰になる部分（重なり部）である。そのため本実施形態では、図面下側にあって面積の広いＡ領域の太陽電池セル１７だけが端子ボックス１４に接続されており、日陰になって発電に寄与しないＢ領域は、端子ボックス１４に接続されていない。
【００２９】
以下、太陽電池パネル１３の太陽電池セル１７及び限定溝２１の断面構造について付言する。図５２は、太陽電池パネル１３の層構成を簡単に説明する太陽電池の概念図の一例である。太陽電池パネル１３は、図５２に示すように、ガラス基板１４１に透明導電膜１４２と半導体層１４３及び裏面側電極膜１４４が順次積層されたものであり、透明導電膜１４２と裏面側電極膜１４４の間に電位差が生じる。即ち透明導電膜１４２と半導体層１４３及び裏面側電極膜１４４とによって太陽電池１４０を構成している。
しかしながら、一個の太陽電池１４０が発生させる電圧は極めて低いものであり、一つの太陽電池１４０だけでは実用的な電圧に達しない。そこで太陽電池１４０の薄膜に複数の溝１５を設けて多数の単体電池（太陽電池セル１７）に分割し、この多数の太陽電池セル１７を電気的に直列接続し、実用的な電圧にまで高める工夫がなされている。なおこの様な太陽電池は集積型太陽電池と称されている。
【００３０】
図５３は、本実施形態で採用する太陽電池パネル１３に構成される集積型太陽電池の層構成を概念的に説明する概念図である。
太陽電池パネル１３の集積型太陽電池１５５の層構成は、ガラス基板１４１に透明導電膜１４２と半導体層１４３及び裏面側電極膜１４４が順次積層されたものであるが、各層に溝１５６，１５７，１５８が形成されている。
【００３１】
すなわち透明導電膜１４２に第一溝１５６が形成され、透明導電膜１４２が複数に分割されている。また半導体層１４３には第二溝（電気接続溝）１５７が形成され、半導体層１４３が複数に分割され、さらに当該第二溝１５７の中に裏面側電極膜１４４の一部が進入して溝底部で透明導電膜１４２と接している。
さらに裏面側電極膜１４４と半導体層１４３を切除して透明導電膜１４２の表面に至る第三溝１５８が設けられている。
【００３２】
また集積型太陽電池１５５の端部近傍には、裏面側電極膜１４４と半導体層１４３を切除して透明導電膜１４２に至る３列の電極接続溝１５９が設けられている。電極接続溝１５９には半田１６０が流し込まれ、積層体の上部に配されたリード１６１が接続されている。リード１６１は半田１６０を介して透明導電膜１４２と連通している。図示していないが、裏面側電極膜１４４も別のリード１６１と半田１６０を介して電気的に連通している。
【００３３】
また電極接続溝１５９の外側には、分離溝１６２が形成されている。分離溝１６２は、図５３の様に、透明導電膜１４２と半導体層１４３及び裏面側電極膜１４４の三者が共に除去されて形成された溝である。
【００３４】
そして本実施形態に特有の構成として、各太陽電池セル１７を横断する限定溝２１が設けられている。限定溝２１についても、図５３の様に、透明導電膜１４２と半導体層１４３及び裏面側電極膜１４４の三者が共に除去されて形成された溝である。
【００３５】
さらにガラス基板１４１の最も外側の部位は、積層体が除去された裸地部１６５となっている。
また前記した裏面側電極膜１４４のさらに裏面側は図示しない被覆フィルムによって覆われている。
【００３６】
太陽電池パネル１３に構成される集積型太陽電池１５５は、透明導電膜１４２に設けられた第一溝１５６と、半導体層１４３（具体的にはｐ層、ｉ層、ｎ層を持つ）及び裏面側電極膜１４４に設けられた第三溝１５８によって各薄膜が区画され、独立したセルが形成されている。そして前記した様に、第二溝１５７の中に裏面側電極膜１４４の一部が進入し、裏面側電極膜１４４の一部が透明導電膜１４２と接しており、一つのセルは隣接するセルと電気的に直列に接続されている。
すなわち半導体層（太陽電池膜）１４３で発生した電流は、透明導電膜１４２側から裏面側電極膜１４４側に向かって流れるが、裏面側電極膜１４４の一部が第二溝１５７を介して透明導電膜１４２と接しており、最初のセルで発生した電流が隣のセルの透明導電膜１４２に流れる。そのため電圧が順次加算されてゆく。
【００３７】
本実施形態では、前記した様に各太陽電池セル１７を横断する限定溝２１が設けられているから、大小二つの集積型太陽電池１６３，１６４が構成される。前記した様に限定溝２１は、透明導電膜１４２と半導体層１４３及び裏面側電極膜１４４の三者が共に除去されて形成されたものであるから、大小二つの集積型太陽電池１６３，１６４は電気的に絶縁されている。
そして本実施形態では、図面下側のＡ領域（稼働領域）の集積型太陽電池１６３のみが端子ボックス１４に接続されている。Ｂ領域（非稼働領域）の集積型太陽電池１６４は、端子ボックス１４に接続されていない。
即ち端部に設けられたリード１６１のＡ領域（稼働領域）１６１ａが端子ボックス１４に接続され、Ｂ領域（非稼働領域）のリード１６１ｂは、端子ボックス１４に接続されていない。
【００３８】
なお上記した各溝の形成は、レーザ加工機を使用したレーザスクライブによって形成されている。また裸地部１６５の形成には、サンドブラスト等が採用されている。
【００３９】
太陽電池モジュール１０の説明に戻ると、図４に示すように、端子ボックス１４は太陽電池パネル１３の裏面側に接着剤などを用いて固定されている。端子ボックス１４は、太陽電池パネル１３の長辺の略中央であって、一方の長辺１５０側の領域に取付けられている。より具体的には、端子ボックス１４は、太陽電池パネル１３の裏面であって上側の位置に取付けられている。したがって、端子ボックス１４は太陽電池モジュール１０の上側の長辺寄りに位置する。ただし、端子ボックス１４の上部側の辺の位置は、太陽電池パネル１３の上側の辺と一致しているのではなく、上側の辺よりも少し内側に入った位置に取付けられている。具体的には、３０ｍｍから５０ｍｍ程度内側に入った位置に端子ボックス１４の上部側の辺がある。
【００４０】
端子ボックス１４は、太陽電池パネル１３の正極が接続されるプラス側電極接続端子（図示せず）と、太陽電池パネル１３の負極が接続されるマイナス側電極接続端子（図示せず）とが内部に設けられている。端子ボックス１４内において、プラス側電極接続端子には、黒色の被服導線であるプラス側の導線２４が二本接続されており、白色の被服導線であるマイナス側電極接続端子には、マイナス側の導線２６が二本接続されている。
【００４１】
第一ケーブル１６は、二本のプラス側導線２４，２４のうちの一方のプラス側導線２４と、二本のマイナス側導線２６，２６のうちの一方のマイナス側導線２６とを束ねて形成された二芯ケーブルである。また第二ケーブル１８は、二本のプラス側導線２４，２４のうちの他方のプラス側導線２４と、二本のマイナス側導線２６，２６のうちの他方のマイナス側導線２６とを束ねて形成された二芯ケーブルである。
【００４２】
図３，図４，図５に示すように、第一ケーブル１６および第二ケーブル１８は色彩が相違しており、第一ケーブル１６は、白色の絶縁チューブ１６ａ内にプラス側芯線２４およびマイナス側芯線２６が配されており、第二ケーブル１８は、黒色の絶縁チューブ１８ａ内にプラス側芯線２４およびマイナス側芯線２６が配されている。
【００４３】
また第一ケーブル１６および第二ケーブル１８は、長さに長短があり、一方が長く、他方が短い。具体的には、第一ケーブル１６が第二ケーブル１８よりも短い。第一ケーブル１６の全長は、長方形状の太陽電池パネル１３の長辺の長さの５０パーセント未満の長さであり、第二ケーブル１８の全長は、太陽電池パネル１３の長辺の長さの５０パーセント以上である。
【００４４】
ただし第一ケーブル１６の長さと第二ケーブル１８の長さの合計は、太陽電池パネル１３の長辺の長さよりも長い。
【００４５】
図３に示すように、第一ケーブル１６および第二ケーブル１８のそれぞれの端部には、第一コネクタ２０および第二コネクタ２２が設けられている。第一コネクタ２０および第二コネクタ２２の色彩は相違しているが、構造は同一である。本実施形態において、第一コネクタ２０は白色であり、第二コネクタ２２は黒色である。
【００４６】
図３，図６に示すように、第一コネクタ２０および第二コネクタ２２は、ピン状端子２８およびソケット状端子３０を備えている。また第一コネクタ２０および第二コネクタ２２は、雌片３２と雄片３４とを有し、前記したピン状端子２８は、雌片３２内にあり、ソケット状端子３０は、雄片３４内にある。
【００４７】
図３（ｂ），（ｃ）に示すように、本実施形態において、第一コネクタ２０のピン状端子２８にはプラス側芯線２４が接合されており、第一コネクタ２０のソケット状端子３０にはマイナス側芯線２６が接合されている。また第二コネクタ２２のピン状端子２８にはマイナス側芯線２６が接合されており、第二コネクタ２２のソケット状端子３０にはプラス側芯線２４が接合されている。即ち、第一コネクタ２０では、ピン状端子２８が正極であり、ソケット状端子３０が負極である。これに対し、第二コネクタ２２では、ピン状端子２８が負極であり、ソケット状端子３０が正極である。そのため、第一コネクタ２０と第二コネクタ２２とは、一方の雌片３２と他方の雄片３４とを嵌合させて一方のピン状端子２８を他方のソケット状端子３０に接続させることにより、同極同士を電気的に接続することが可能である。
【００４８】
次に断熱補強材２３について説明する。図４に示すように、断熱補強材２３は、太陽電池モジュール１０の強度や断熱性を確保するために太陽電池パネル１３の裏面に取付けられる発泡樹脂製の部材である。断熱補強材２３は図４のように太陽電池パネル１３の裏面の中央部分にあり、図面下辺の近傍に沿う部分は断熱補強材２３が欠落していて配線収納空間４１が形成されている。
また前記した端子ボックス１４が取付けられている部位は、端子ボックス用欠落部４３がある。従って端子ボックス１４はその三方が断熱補強材２３によって囲まれている。さらに端子ボックス用欠落部４３の両脇にも欠落部４５が設けられている。
欠落部４５の下方部分は、断熱補強材２３の厚さが薄く、溝状部４６となっている。
さらに太陽電池パネルの上部側の長辺１５０の近傍部分４０についても断熱補強材２３が欠落している。当該部分は、中間取付け金具６の前端エリアＢの前部側に載置される部位である。なお、欠落部４５と溝状部４６は屋根上に太陽電池モジュール１０を敷設した際に、軒側と棟側で連続する２つの太陽電池モジュール１０の間でコネクタを接続するとき、第１ケーブル１６や第２ケーブル１８を通すことができる。
【００４９】
太陽電池パネル１３の左右の短辺には、サイドガスケット４７が取付けられている。サイドガスケット４７は、樹脂系材料で作られている。
【００５０】
次に本実施形態の屋根構造１の施工方法について説明する。本実施形態の屋根構造１を施工するには、最初の屋根下地を形成し、その上にスレート瓦２を列状及び複数段状に並べ平面的な広がりをもって載置する。そしてこのスレート瓦２を設置する際に、軒先取付け金具（軒先取付け具）５と、中間取付け金具（取付け具）６を取付ける。
すなわち本実施形態では、太陽電池モジュール１０の設置に先立って、基礎屋根構造３を構築する。
【００５１】
具体的な手順は次の通りである。
すなわち、図１６で示されるように、屋根下地の軒先に、通常スレート瓦２の軒先水切６８を設置し、軒先取付け金具（軒先取付け具）５を設置する。軒先取付け金具５の接続片５１の正面部６０の位置は、スレート瓦２の軒先からの出寸法（図１９におけるｔｌ）より、軒先取付け金具５の板厚（図１９におけるｍｌ）分だけ軒先側に出た位置となる。
軒先取付け金具５は、下板部５２の取付け孔５９に木ねじ又はクギ等の締結要素１１５を挿入し、屋根下地に締結要素１１５を係合させることによって取付ける。
軒先取付け金具５は、正面部６０側から見たときに軒先に隙間が出来ない様に、間隔を詰めて取付けられる。
【００５２】
図１７で示すように、軒先取付け金具５が軒先に取付けられた状態においては、下板部５２と第１正面立ち上げ部５３と上板部５５とによって構成される屋根部材保持凹部６４が棟側に向かって開口する。
【００５３】
そして次の工程として、軒側第１段目の列のスレート瓦２−１を設置する。スレート瓦は、前記した軒先取付け金具５の屋根部材保持凹部６４に嵌め込まれることによって軒側の辺が保持される。（図１８）
【００５４】
続いて、軒側から第２段目の列のスレート瓦２−２を設置する。
第２段目の列のスレート瓦２−２の設置方法は、公知の屋根工事と同一であり、先に敷設した軒側第１段目の列のスレート瓦２−１の棟側の一部に、第２段目の列のスレート瓦２−２の軒側の一部を重ねる（図２０）。
【００５５】
第２段目の列のスレート瓦２−２の設置を終えると、第２段目の列のスレート瓦２−２の４個の取付け孔１２にクギ等１１７を挿通してクギ等１１７を屋根下地に係合させることとなるが、本実施形態では、この工程と平行して中間取付け金具（取付け具）６を取付ける。
推奨される手順としては、図２１，図２２のように、組み立て状態の中間取付け金具６から中間板部材７１を外して固定部構成部材７０だけを取付ける。
【００５６】
こうして図２３のように第２段目の列のスレート瓦２−２の固定が完了すると、次に図２４のように、第３段目の列のスレート瓦２−３を取付ける。
図２４，図２５で示されるように、３段目の列のスレート瓦２−３の軒側の辺は、第一凹部１０５に奥深く入る。
【００５７】
この状態においては、中間取付け金具６の上板部材７３の下部には、その全域に３段目の列のスレート瓦２−３が存在する。そして次の工程として、図２６，図２７に示されるように、中間取付け金具６の上板部材７３の後端寄りに設けられた取付け孔８０ａ，８０ｂのいずれかと、３段目の列のスレート瓦２−３の孔１２ａ，１２ｂ，１２ｃ，１２ｄのいずれかを合致させ、両者にクギ等１１８（クギ又はネジ）を挿通して中間取付け金具６を固定する。
【００５８】
続いて４段目の列のスレート瓦２−４の敷設作業を行う。４段目の列のスレート瓦の敷設作業は、前述した２段目の列のスレート瓦２−２の敷設作業と略同様であり、先に敷設した軒側第３段目の列のスレート瓦２−３の棟側の一部に、第４段目の列のスレート瓦２−４の軒側の一部を重ねる（図２９）。
【００５９】
そして図３０に示されるように、２段目の列の敷設作業と同様、第４段目の列のスレート瓦２−４の設置を終えると、第４段目の列のスレート瓦２−４の４個の取付け孔１２にクギ等１１９を挿通して屋根下地に係合させることとなるが、この工程と平行して中間取付け金具６を取付ける。中間取付け金具６を取付ける作業は、２段目の列の作業と同一である。そして、図３１で示される様にスレート瓦２−５を前述したスレート瓦２−３と同様の方法で取付ける。
【００６０】
こうして、順次、５段目、６段目を工事し、棟に至るまでスレート瓦２を取付ける。すると図３２で示されるように、屋根下地上にスレート瓦２の敷設が完了し、基礎屋根構造３が完成する。
その結果、屋根の最も軒先側には、軒先取付け金具５が固定され、スレート瓦２の一段置きに、中間取付け金具６の固定部構成部材７０だけが取付けられた状態となる。
【００６１】
そして続いて基礎屋根構造３上に、太陽電池モジュール１０を設置する。
また本実施形態では、太陽電池モジュール１０の敷設の際に、太陽電池モジュール１０の配線を行う。
【００６２】
太陽電池モジュール１０は、基礎屋根構造３上に、列状及び複数段状に並べられて平面的な広がりをもって載置されるが、配線は簡単であり、同列上で隣接する太陽電池モジュール１０のケーブルを接続するだけで足る。
本実施形態では、図３３に示すように、隣接する太陽電池モジュール１０，１０において、一方の太陽電池モジュール１０の第一コネクタ２０と、隣接する他方の太陽電池モジュール１０の第二コネクタ２２とを接続させると、隣接する二つの太陽電池モジュール１０，１０を図３４の様に電気的に並列に接続させることができる。即ち、白色の第一ケーブル１６に取付けられた白色の第一コネクタ２０と、黒色の第一ケーブル１８に取付けられた黒色の第二コネクタ２２とを接続させることで、隣接する太陽電池モジュール１０，１０の並列接続が可能になる。したがって本実施形態の太陽電池モジュール１０は、左右の隣接する太陽電池モジュール１０，１０を、ケーブル１６，１８を用いて接続させることにより、モジュール段３６に含まれる全ての太陽電池モジュール１０を順次並列に接続させることができる。
【００６３】
以下、太陽電池モジュール１０を基礎屋根構造３上に取付ける工程と、これと平行して行われるケーブル配線工事について説明する。
【００６４】
太陽電池モジュール１０の敷設は、軒側の列から順に行われる。
先に説明した基礎屋根構造３を構築する作業により、軒先に軒先取付け金具５が取付けられているので、当該軒先取付け金具５のモジュール保持凹部６５に第１列目の太陽電池モジュール１０−１の軒側辺（ケーブルが突出していない側）を係合させる。
すなわち図３５で示されるように、軒先取付け金具５には、支持台部５７と第２正面立ち上げ部５８と覆い板構成部６１によってモジュール保持凹部６５が構成され、当該モジュール保持凹部６５は建屋の棟側に向かって開口している。そのため太陽電池モジュール１０−１の軒側辺を棟側からモジュール保持凹部６５に滑り込ませる。
【００６５】
一方、図３６で示すように、太陽電池モジュール１０−１の棟側辺（ケーブルが突出している側）は、２段目のスレート瓦２−２に取付けられた固定部構成部材７０の中央エリアＢの前側に載置する。
そして太陽電池モジュール１０−１の棟側辺を中央エリアＢの前端部分に載置したままの状態で、当該固定部構成部材７０に中間板部材７１と押さえ板部材７４を取付ける。実際上は、予め中間板部材７１と押さえ板部材７４とを一体化しておき、この状態で、固定部構成部材７０に取付ける（図３７）。
【００６６】
この状態において太陽電池モジュール１０−１は、図３８のように、軒側の辺が軒先取付け金具５のモジュール保持凹部６５と係合し、棟側の辺が中間取付け金具６の第二凹部１０６に係合するので、対向する両辺が保持され、基礎屋根構造３から離脱できない状態となる。
また軒側と係合するモジュール保持凹部６５内にはカバー６６、保護部材６７が設けられているので、太陽電池モジュール１０−１の軒側が傷つくことがなく、且つがたつくこともない。
【００６７】
こうして第一列目の太陽電池モジュール１０−１を取付けると、続いて隣り合う太陽電池モジュール間でケーブルの配線を行う。
即ち、隣接する太陽電池モジュール１０−１，１０−１の第一ケーブル１６と第二ケーブル１８とを接続する。
【００６８】
ここで本実施形態の太陽電池モジュール１０は、上記したように、第一ケーブル１６が第二ケーブル１８よりも短く形成されている。そのため太陽電池モジュール１０は、作業者がケーブル１６，１８の長さを確認することによって、そのケーブル１６，１８に取付けられたコネクタ２０，２２が第一コネクタ２０であるのか、あるいは第二コネクタ２２であるのかを瞬時に判断することができる。
【００６９】
また本実施形態においては、ケーブル１６，１８は、太陽電池モジュール１０の棟側の長辺１５０から突出しているから、コネクタ２０，２２同士の接続作業は、太陽電池モジュール１０の外側上部で行うことができる。そして上部側の列の太陽電池モジュール１０を設置すると、上部側の列の太陽電池モジュール１０の配線収納空間４１に配線されたケーブル１６，１８（コネクタ２０，２２を含む）が収容されることとなる。
ここで本実施形態では、中間取付け金具６にフック部７７が設けられているから、配線し終えたケーブルをフック部７７に係合させておくことにより、ケーブルの処理が容易となる。
【００７０】
即ち、図３９で示されるように、第一段の太陽電池モジュール１０−１が敷設し終わった段階では、その上段部は、いまだスレート瓦２が露出した状態であり、中間取付け金具６の上板部材７３に設けられたフック部７７は、外部に露出した状態である。
そのため図４０，４１のように接続したケーブルを容易にフック部７７に係合させることができる。ケーブルは、フック部７７に係合されることにより、位置決めがなされ、フック部７７よりも棟側にケーブルが行くことが防がれる。
【００７１】
続いて、第二段の太陽電池モジュール１０−２を敷設する。
図４２，４３に示されるように、第二段目の太陽電池モジュール１０−２は、中間取付け金具６同士の間に設置される。即ち中間取付け金具６は、前記した様に２枚ごとのスレート瓦２に取付けられている。
そして第二段目の太陽電池モジュール１０−２は、先に第一段の太陽電池モジュール１０−１の棟側を保持した中間取付け金具６（以下  下部側中間取付け金具６）と、その上部側に設けられた中間取付け金具６（以下  上部側中間取付け金具６）に固定される。
具体的には、第二段目の太陽電池モジュール１０−２は軒側の辺を、下部側中間取付け金具６の第三凹部１０７（モジュール載置部）に係合させる。
【００７２】
一方、太陽電池モジュール１０−２の棟側辺（ケーブルが突出している側）は、一段目の太陽電池モジュール１０−１と同様に、４段目のスレート瓦２−４に取付けられた上部側の固定部構成部材７０の中央エリアＢの前端側に載置する（図４２）。
そして太陽電池モジュール１０−２の棟側辺を中央エリアＢに載置したままの状態で、当該固定部構成部材７０に中間板部材７１と押さえ板部材７４を取付け、中間板部材７１の裏面側で押さえる。その結果、上部側中間取付け金具６の上板部材７３の前端側エリアＡ及び中央エリアＢと上板部材７３の上に設けられた中間板部材７１によって第二凹部１０６が形成され、当該第二凹部１０６に太陽電池モジュール１０−２の棟側の辺が係合し、太陽電池モジュール１０−２は対向する両辺が保持され、基礎屋根構造部から離脱できない状態となる。
【００７３】
図４４に示されるように、先に配線された第一段目の太陽電池モジュール１０−１，１０−１の各ケーブル１６，１８は、下部側中間取付け金具６の上板部材７３に設けられたフック部７７と係合しているので、ケーブルは、太陽電池モジュールの裏面側の配線収納空間４１に納まる。
すなわち前記した様に、太陽電池モジュール１０の裏面側に断熱補強材２３が設けられているが、軒側の辺の近傍においては、断熱補強材２３が欠落し、所定の空隙が設けられている。本実施形態においては、ケーブルは基礎屋根構造部側から突出したフック部７７と係合しているので、ケーブルは過度に棟側に入り込まない。そのため第２段目の太陽電池モジュール１０−２を設置しても、第二段目の太陽電池モジュール１０−２の断熱補強材２３が第一段目の太陽電池モジュール１０−１のケーブルを踏むことがない。
【００７４】
また第一段目の太陽電池モジュール１０−１とその上に重なる太陽電池モジュール１０−２の重なり部分に注目すると、図５４の様に、太陽電池セル１７を横断する限定溝２１は、上側の太陽電池モジュール１０−２の軒側の辺から僅かに外側にはみ出した位置にある。即ち太陽電池セル１７を横断する限定溝２１は、図５４の様に、太陽電池モジュール１０−１，１０−２の重なり部分から僅かに外側に露出する位置にあり、第一段目の太陽電池モジュール１０−１のＢ領域（非稼働領域）は、その大半の部分がその上に重なる太陽電池モジュール１０−２に重なっている。
【００７５】
こうして、第２段目の太陽電池モジュール１０−２の全てを設置し終えると、先と同様にケーブルを配線し、当該ケーブルをフック部７７に係合する。そしてさらに第３段目の太陽電池モジュール１０−３を設置する。こうして、順次、太陽電池モジュール１０を設置し、所望の段数の設置を終えると、最も上段部の太陽電池モジュール１０の棟側に雨仕舞い板１１を設置し、工事を完了する（図４５）。
【００７６】
また上記した実施形態の太陽電池モジュール１０は、特有の構成として、各太陽電池セル１７を横断する限定溝２１が設けられている（図３参照）。そして限定溝２１よりも上側の領域（Ｂ領域）は、端子ボックス１４に接続されていない。
この構成は、太陽電池モジュール１０を長持ちさせる上で推奨される構成である。即ち、前記したＢ領域は、そもそも棟側の段の太陽電池モジュール１０に覆われて陰になる部分であり、発電に寄与しない。そのため太陽電池モジュール１０に限定溝２１を設け、限定溝２１よりも上側の領域（Ｂ領域）は、端子ボックス１４に接続しない構成を採用しても、何らの不都合もない。
【００７７】
一方、当該部分は、図１等に示されるように、太陽電池モジュール１０同士の隙間部分であり、昆虫やクモ、鳥等の侵入によって予期しない故障を発生させる懸念のある部分である。
即ち本実施形態では、各太陽電池モジュール１０が、中間取付け金具６を介して取付けられる。そして中間取付け金具６は、ある程度の厚さを有するから、各太陽電池モジュール１０の軒側自由端と、その下の太陽電池モジュール１０との間には、必然的に隙間があり、昆虫等が侵入する。例えば蜂が侵入して巣を作ったり、蟻が侵入して巣を作ることが懸念される。
ここで昆虫やクモ等が分泌する分泌物には、長年の内に思わぬ弊害をもたらすものもある。例えば蟻が分泌する蟻酸は、強い酸であり、この蟻酸に長期に渡ってふれることによって、太陽電池モジュール１０の一部が腐食する可能性もある。
【００７８】
またＢ領域は、太陽電池モジュール１０に覆われて陰になる部分であるから、外からは様子が判らない。そのため、たとえば雨仕舞い板１１の隙間からねずみが侵入し、太陽電池モジュール１０をかじることがあるかも知れない。
そのため限定溝２１よりも上側の領域（Ｂ領域）は、予期しないショートや断線、漏電を生じさせる懸念を有している。また当該領域は、外から見えないので、故障が生じた場合に故障の原因を発見しにくく、結局すべての太陽電池モジュール１０を入れ換えることとなる懸念がある。
【００７９】
そこで本実施形態では、棟側の段の太陽電池モジュール１０に覆われて陰になる部分を限定溝２１で電気的に切り離し、事故の懸念を払拭している。
【００８０】
先に示した実施形態では、図５４の様に、太陽電池セル１７を横断する限定溝２１が、上部側の太陽電池モジュール１０−２に対する重なり部分から僅かに外側に露出する位置に構成を例示したが、図５５に示す様に、太陽電池セル１７を横断する限定溝２１が、上部側の太陽電池モジュール１０−２の軒側の辺の真下の位置にあってもよい。
本構成によると、下側の太陽電池モジュール１０−１のＡ領域（稼働領域）は全て露出していて太陽光が照射され、Ｂ領域（非稼働領域）は全て影に隠れる。
【００８１】
あるいは図５６の様に、太陽電池セル１７を横断する限定溝２１が、上部側の太陽電池モジュール１０−２に対する重なり部分の中にあってもよい。
本構成によると、下側の太陽電池モジュール１０−１のＡ領域（稼働領域）の極一部が影に隠れ、Ｂ領域（非稼働領域）は全て影に隠れることとなる。
【００８２】
以上説明した実施形態では、中間取付け金具６の押さえ板部材７４は断面形状が「Ｌ」字状の部材を採用したが、押さえ板部材の形状はこれに限るものではない。例えば、図５０に示されるように、断面「コ」字状の押さえ板部材１１４を用いてもよい。押さえ板部材の形状は適宜変更してよい。
【００８３】
また、以上説明した実施形態では、太陽電池モジュール１０に溝状部４６を有する断熱補強材２３を取付けたが、断熱補強材の形状及び数はこれに限るものではない。例えば図５１に示されるように、太陽電池モジュール１０の中央部分に正面視が「凹」字状の断熱補強材１３５ａを取付け、長手方向両端部に正面視が略正方形状の１３５ｂ，１３５ｃを取付けてもよい。断熱補強材の形状及び数は適宜変更してよい。
【符号の説明】
【００８４】
１      屋根構造
１０    太陽電池モジュール
１３    太陽電池パネル
１４    端子ボックス
１７    単体電池
１６    ケーブル
１８    ケーブル
２１    限定溝
Ａ      稼働領域
Ｂ      非稼働領域
【図１】
0005608386.tif 000002
【図２】
0005608386.tif 000003
【図３】
0005608386.tif 000004
【図４】
0005608386.tif 000005
【図５】
0005608386.tif 000006
【図６】
0005608386.tif 000007
【図７】
0005608386.tif 000008
【図８】
0005608386.tif 000009
【図９】
0005608386.tif 000010
【図１０】
0005608386.tif 000011
【図１１】
0005608386.tif 000012
【図１２】
0005608386.tif 000013
【図１３】
0005608386.tif 000014
【図１４】
0005608386.tif 000015
【図１５】
0005608386.tif 000016
【図１６】
0005608386.tif 000017
【図１７】
0005608386.tif 000018
【図１８】
0005608386.tif 000019
【図１９】
0005608386.tif 000020
【図２０】
0005608386.tif 000021
【図２１】
0005608386.tif 000022
【図２２】
0005608386.tif 000023
【図２３】
0005608386.tif 000024
【図２４】
0005608386.tif 000025
【図２５】
0005608386.tif 000026
【図２６】
0005608386.tif 000027
【図２７】
0005608386.tif 000028
【図２８】
0005608386.tif 000029
【図２９】
0005608386.tif 000030
【図３０】
0005608386.tif 000031
【図３１】
0005608386.tif 000032
【図３２】
0005608386.tif 000033
【図３３】
0005608386.tif 000034
【図３４】
0005608386.tif 000035
【図３５】
0005608386.tif 000036
【図３６】
0005608386.tif 000037
【図３７】
0005608386.tif 000038
【図３８】
0005608386.tif 000039
【図３９】
0005608386.tif 000040
【図４０】
0005608386.tif 000041
【図４１】
0005608386.tif 000042
【図４２】
0005608386.tif 000043
【図４３】
0005608386.tif 000044
【図４４】
0005608386.tif 000045
【図４５】
0005608386.tif 000046
【図４６】
0005608386.tif 000047
【図４７】
0005608386.tif 000048
【図４８】
0005608386.tif 000049
【図４９】
0005608386.tif 000050
【図５０】
0005608386.tif 000051
【図５１】
0005608386.tif 000052
【図５２】
0005608386.tif 000053
【図５３】
0005608386.tif 000054
【図５４】
0005608386.tif 000055
【図５５】
0005608386.tif 000056
【図５６】
0005608386.tif 000057